(57)【要約】【課題】操作者の労力低減を図った装置の操作部、画像形成装置の操作部、画像形成装置を提供する。【解決手段】インクカートリッジ装着部１２は、透明のインクカートリッジ扉４を備え、このインクカートリッジ扉４は、開閉軸４ｂを回動支点として開閉可能になっている。開く際には把手部４ａに指を掛ける等して手前へ引くように操作する。インクカートリッジ扉４を閉めた状態では、把手部４ａと操作部１は斜め上下方向で隣り合わせとなり、装置の構造を理解していないユーザーでも迷うことなく通常操作を行える。また、操作部１が斜め上を向くように傾斜配置したこととあいまって、ユーザーは無理のない姿勢で通常操作を行うことができる。【選択図】図１
2007168134.tif 000002
【特許請求の範囲】
【請求項１】
各種操作部位を有する装置の操作部であって、使用頻度の高い操作部位が近くにまとまった配置になっていることを特徴とする装置の操作部。
【請求項２】
請求項１の装置の操作部において、前記操作部位を、操作者に近い位置に配置していることを特徴とする装置の操作部。
【請求項３】
請求項２の装置の操作部において、前記操作部を上縁側が若干上方に位置する斜め上向き状態に配置してなることを特徴とする装置の操作部。
【請求項４】
請求項１から３のいずれかの装置の操作部において、前記操作部を装置の右側面側に備えたことを特徴とする装置の操作部。
【請求項５】
請求項１から４のいずれかの装置の操作部を備えたことを特徴とする画像形成装置の操作部。
【請求項６】
請求項１から４の装置の操作部を備えたことを特徴とする画像形成装置。
【発明の詳細な説明】
【技術分野】
【０００１】
本発明は、画像形成装置等の装置の操作部と、これを用いた画像形成装置に関する、
【背景技術】
【０００２】
インクジェットプリンタやレーザプリンタ等の各種操作部位を有する装置では、装置の動作のための操作部位や、カートリッジなどの消耗品補給操作を伴う部位を有することを必要とする。
【０００３】
従来のプリンタ等の装置では、消耗品補給や操作部など通常使用において操作する部位が装置本体の様々な場所に分散していた。
【０００４】
例えば特許文献１には、コンタクトガラス上に原稿物を置く時の操作性、およびセット性を改善する画像形成装置を提供するため、シート原稿読み取り装置を有する画像形成装置において、操作部１５を装置Ａの手前に配置し、前記シート読み取り機構１６の開閉支点１９を装置Ａの後ろ上面に配置した画像形成装置が開示去れている。
【特許文献１】特開2004-260629号公報
【発明の開示】
【発明が解決しようとする課題】
【０００５】
しかしながら従来のように、消耗品補給や操作部など通常使用において操作する部位が装置本体の様々な場所に分散していると、ユーザーにとって、どこを操作すればよいか、直感的に理解することが難しく、改良が望まれていた。
【０００６】
本発明は以上の点にかんがみ、操作者の労力低減を図った装置の操作部、画像形成装置の操作部、画像形成装置を提供することを目的とする。
【課題を解決するための手段】
【０００７】
請求項１に係る本発明の装置の操作部は、各種操作部位を有する装置の操作部であって、使用頻度の高い操作部位が近くにまとまった配置になっていることを特徴とする。
【０００８】
請求項２に係るものは、請求項１の装置の操作部において、前記操作部位を、操作者に近い位置に配置していることを特徴とする。
【０００９】
請求項３に係るものは、請求項２の装置の操作部において、前記操作部を上縁側が若干上方に位置する斜め上向き状態に配置してなることを特徴とする。
【００１０】
請求項４に係るものは、請求項１から３のいずれかの装置の操作部において、前記操作部を装置の右側面側に備えたことを特徴とする。
【００１１】
請求項５に係る画像形成装置の操作部は、請求項１から４のいずれかの装置の操作部を備えたことを特徴とする。
【００１２】
請求項６に係る画像形成装置は、請求項１から４の装置の操作部を備えたことを特徴とする。
【発明の効果】
【００１３】
本発明は、装置の構造を理解していないユーザーでも迷うことなく通常操作を行えるという効果がある。
【発明を実施するための最良の形態】
【００１４】
以下本発明を実施するための最良の形態を、図に示す実施例を参照して説明する。
【実施例１】
【００１５】
図１は本発明の実施例に係るインクジェットプリンタを正面右方向から見て示す斜視図、図２はインクカートリッジ扉を開いた状態の正面右方向から見て示す斜視図である。
【００１６】
本実施例のインクジェットプリンタ１０は、図示のように、装置本体１１の前部に操作部１と、インクカートリッジ３を収納するインクカートリッジ装着部１２と、インクカートリッジ装着部１２のインクカートリッジ扉４を開閉可能に備えている。
【００１７】
装置本体１１の正面右手側に位置する操作部１には、ＬＣＤ表示部２を上向き（本発明で上向きとは、水平上向きだけではなく、図示の実施例のように上縁側が上方に位置する斜め上向き状態をも含む。）にして正面側に向けて備え、装置本体１１の正面左側から順に、ブラック（Ｋ）、シアン（Ｃ）、マゼンタ（Ｍ）、イエロー（Ｙ）の各色のインクカートリッジ３を着脱できるインクカートリッジ装着部１２を略角箱状に備えている。もちろんインクカートリッジの配列はこの図示の順に限定されるものではない。なお詳細な図示は省略するが、装置本体１１内にはインクジェットプリンタとしての主要な構成を備え、インクカートリッジ装着部１２の図中左隣には、複数枚の用紙を積載可能なトレイ１３と、その上部を覆うように配した排紙部１４とが設けてある。
【００１８】
またインクカートリッジ装着部１２は、透明のインクカートリッジ扉４を備えており、閉めた状態でも内部のインクカートリッジ３が見えるようになっている。各色のインクカートリッジ３は、例えば図示の例では背表紙状の表示部３ａで色を表示しているが、その他の表示形態のものであっても良いことはもちろんである。なお、インクカートリッジ扉４については、完全に透明でなく、内部が見える程度の透明性のものでも良く、あるいは全体的には不透明でも内部を視認可能で内部のインクカートリッジ３を見分けることが可能な窓を備えるものであってもよい。またなお、図中４ａはインクカートリッジ扉４の把手、４ｂは開閉軸である。
【００１９】
さらに、装置本体１１の操作部１の上側に、ＬＥＤ表示部２０が設けてある。そして、図２、図３から良くわかるように、装置本体１１のＬＥＤ表示部２０の上側に位置する部位３０の下面側がえぐれた構造となっており、上方からの照明光でできる影の中にＬＥＤ表示部２０が入るようになっている。このように、影の中にＬＥＤ表示部２０を配置することで、ＬＥＤが点灯していることが使用者にわかりやすくなる。なお部位３０は、図３からわかるようにＬＥＤ表示部２０の直上となっているが、この配置には限定されない。ＬＥＤ表示部２０へ入射する光の方向に位置すればよい。
【００２０】
また図３に示ように、操作部１が斜め上を向くように傾斜配置することで、ＬＥＤ表示部２０は前方斜め上を向き、ＬＥＤの光（光軸４０）が部位３０によって上方を覆われ、光軸４０に沿う外光や、あるいはその周囲の外光がＬＥＤ表示部２０を直接照射しにくいようになっている。
【００２１】
そのため、本実施例の装置では、明るい室内灯の下でも、ＬＥＤ表示部２０が装置本体１１の一部（部位３０）の影になることで、点灯していることがわかりやすくなる。また操作者、使用側にＬＥＤの光が向かうことで、点灯していることがわかりやすくなる。
【００２２】
インクカートリッジ扉４は、図２に示すように、開閉軸４ｂを回動支点として開閉可能になっている。開く際には把手部４ａに指を掛ける等して手前へ引くように操作する。
【００２３】
このインクカートリッジ扉４を閉めた状態では、図１に示すように、把手部４ａと操作部１は斜め上下方向で隣り合わせとなる。そのため、装置の構造を理解していないユーザーでも迷うことなく通常操作を行える。また既述のように、操作部１が斜め上を向くように傾斜配置したこととあいまって、ユーザーは無理のない姿勢で通常操作を行うことができる。
【００２４】
なお実施例としてはインクジェットプリンタの例のみ示して説明し、その他の例については説明を省略したが、レーザプリンタやその他の画像形成装置、またさらには同種の表示部を用いる装置においても同一ないしは類似の構成、配置をとって同様の視認性を奏する構成とすることが可能であるのはもちろんである。
【図面の簡単な説明】
【００２５】
【図１】本発明の実施例に係るインクジェットプリンタを正面右方向から見て示す斜視図
【図２】同じくインクカートリッジ扉を開いた状態の正面右方向から見て示す斜視図
【符号の説明】
【００２６】
１：操作部
２：ＬＣＤ表示部
３：インクカートリッジ
３ａ：背表紙状の表示部
４：インクカートリッジ扉
４ａ：インクカートリッジ扉の把手
４ｂ：同開閉軸
５：残量表示
１０：インクジェットプリンタ
１１：装置本体
１２：インクカートリッジ装着部
１３：トレイ
１４：排紙部
２０：ＬＥＤ表示部
３０：ＬＥＤ表示部の上側に位置する部位
４０：ＬＥＤの光軸
【図１】
2007168134.tif 000003
【図２】
2007168134.tif 000004